(57)【要約】【課題】  短時間で効率よく被施療者を暖め、身体に優しい熱質とし、電気代が可及的に安価ですむ温熱療養装置を提供する。【解決手段】  裏皮３、３’及び該裏皮３、３’の一方側の面３ａ、３’ａに生えてなる長状の毛４により少なくとも構成されてなる毛皮類原反２，２’の裏皮３、３’の他方側の面３ｂ、３’ｂ側に遠赤外線エネルギーを放射可能なる放射手段６と、該放射手段６を暖めることで被施療者を暖めることが可能な加温手段８とを配設してなる。【選択図】図３
2008114024.tif 000002
【特許請求の範囲】
【請求項１】
裏皮及び該裏皮の一方側の面に生えてなる長状の毛により少なくとも構成されてなる毛皮類原反の裏皮の他方側の面に遠赤外線エネルギーを放射可能なる放射手段が配設されてなり、該放射手段を暖めることで被施療者を暖めることが可能な加温手段とより構成してなることを特徴とする温熱療養装置。
【請求項２】
請求項１に記載の温熱療養装置であって、
前記放射手段には、前記加温手段を敷き設可能な略平板状の本体と、前記加温手段を本体から抜けるのを防止可能なる蓋体とより構成されてなり、前記加温手段には、所定の温度を検知することで電源をオン、オフ切り替え可能なサーモスタットが配されてなることを特徴とする温熱療養装置。
【請求項３】
請求項１に記載の温熱療養装置であって、
前記放射手段には、前記加温手段を挿入可能な略円柱状の本体と、前記加温手段を本体から抜けるのを防止可能なる蓋体とより構成されてなり、
前記加温手段には、所定の温度を検知することで電源をオン、オフ切り替え可能なサーモスタットが配されてなることを特徴とする温熱療養装置。
【請求項４】
請求項１乃至請求項３の何れか１項に記載の温熱療養装置であって、
前記毛皮類原反は、前記裏皮を内側にし、前記毛を表側にすると共に前記放射手段及び前記加温手段を袋内に挿脱可能な袋状とし、
該袋には、前記放射手段及び前記加温手段を挿脱可能な開口を形成すると共に、該開口を封止・開成可能なチャックを設けてなることを特徴とする温熱療養装置。
【請求項５】
請求項１乃至請求項４の何れか１項に記載の温熱療養装置であって、
前記毛皮類原反は、ムートンよりなることを特徴とする温熱療養装置。
【発明の詳細な説明】
【技術分野】
【０００１】  本発明は、温熱療養装置に関するものである。
【背景技術】
【０００２】  従来の温熱療養装置としては、例えば、寒冷な場所でも身体に冷たさを感じさせない毛足の長いムートンや遠赤外線練り生地を内側に使用して袋状にすることで、袋内に挿入した足の冷えを防止したものがある（例えば、特許文献１。）。
【特許文献１】特開２００６−２０４８５０号
【発明の開示】
【発明が解決しようとする課題】
【０００３】  しかしながら、このような従来の技術にあっては、ムートンや遠赤外線練り生地は、被施療者の体温を熱源としているため、内側に使用した袋内に挿入した被施療者の足の体温が低いと、暖まるのに多くの時間を必要とし、効率が悪く、改善が求められている。また、こうした袋内に近赤外線電気アンカを配すれば、かかる欠点は生じないものの、熱質が刺々しくて傷みを感じるおそれもあり、更には使用時間中の全てで電力消費が続くことになる分電気代がかさむ事になる。この点でも改善が求められている。【０００４】  本発明は、このような従来の技術に着目してなされたもので、短時間で効率よく被施療者を暖め、身体に優しい熱質とし、電気代が可及的に安価ですむ温熱療養装置を提供するものである。
【課題を解決するための手段】
【０００５】  請求項１に記載の発明は、裏皮及び該裏皮の一方側の面に生えてなる長状の毛により少なくとも構成されてなる毛皮類原反の裏皮の他方側の面に遠赤外線エネルギーを放射可能なる放射手段が配設されてなり、該放射手段を暖めることで被施療者を暖めることが可能な加温手段とより構成してなることを特徴とする。【０００６】  請求項２に記載の発明は、請求項１に記載の温熱療養装置であって、前記放射手段には、前記加温手段を敷き設可能な略平板状の本体と、前記加温手段を本体から抜けるのを防止可能なる蓋体とより構成されてなり、前記加温手段には、所定の温度を検知することで電源をオン、オフ切り替え可能なサーモスタットが配されてなることを特徴とする。【０００７】  請求項３に記載の発明は、請求項１に記載の温熱療養装置であって、前記放射手段には、前記加温手段を挿入可能な略円柱状の本体と、前記加温手段を本体から抜けるのを防止可能なる蓋体とより構成されてなり、前記加温手段には、所定の温度を検知することで電源をオン、オフ切り替え可能なサーモスタットが配されてなることを特徴とする。【０００８】  請求項４に記載の発明は、請求項１乃至請求項３の何れか１項に記載の温熱療養装置であって、前記毛皮類原反は、前記裏皮を内側にし、前記毛を表側にすると共に前記放射手段及び前記加温手段を袋内に挿脱可能な袋状とし、該袋には、前記放射手段及び前記加温手段を挿脱可能な開口を形成すると共に、該開口を封止・開成可能なチャックを設けてなることを特徴とする。【０００９】  請求項５に記載の発明は、請求項１乃至請求項４の何れか１項に記載の温熱療養装置であって、前記毛皮類原反は、ムートンよりなることを特徴とする。
【発明の効果】
【００１０】  請求項１に記載の発明によれば、裏皮及び該裏皮の一方側の面に生えてなる長状の毛により少なくとも構成されてなる毛皮類原反の裏皮の他方側の面に遠赤外線エネルギーを放射可能なる放射手段が配設されてなり、該放射手段を暖めることで被施療者を暖めることが可能な加温手段とより構成してなるため、短時間で効率よく被施療者は放射手段が放射する遠赤外線エネルギーを受け、該遠赤外線エネルギーが被施療者の身体の奥まで達し、身体の活性化を図ることができる。また、加温手段により放射手段が暖められるので、身体に優しい熱質により気持ちの良い加温性を得られることができる。被施療者に毛皮類原反の毛の方を向ければ、毛の柔らかさによる柔軟性を心地よさとして被施療者に与えることが出来る。放射手段が保温性に優れているので、電気代が可及的に安価ですむことになる。【００１１】  請求項２に記載の発明によれば、前記放射手段には、前記加温手段を敷き設可能な略平板状の本体と、前記加温手段を本体から抜けるのを防止可能なる蓋体とより構成されてなるため、本体と蓋体との上下寸法が少なく、敷き布団と掛け布団との間に入れ易いし、炬燵の中にも入れ易い。また、被施療者をその上に乗せ易いことになる。また、前記加温手段には、所定の温度を検知することで電源をオン、オフ切り替え可能なサーモスタットが配されてなるため、スイッチをオンにすれば、そのままで、電源のオン、オフを所定の温度の変化で繰り返すことが出来る。オフ時間は、電気代が嵩まず、著しく安価に出来る。【００１２】  請求項３に記載の発明によれば、前記放射手段には、前記加温手段を挿入可能な略円柱状の本体と、前記加温手段を本体から抜けるのを防止可能なる蓋体とより構成されてなるため、本体に対して加温手段が長くなり、それだけ、放射手段を加温できることになる。また、前記加温手段には、所定の温度を検知することで電源をオン、オフ切り替え可能なサーモスタットが配されてなるため、スイッチをオンにすれば、そのままで、電源のオン、オフを所定の温度の変化で繰り返すことが出来る。オフ時間は、電気代が嵩まず、著しく安価に出来る。【００１３】  請求項４に記載の発明によれば、前記毛皮類原反は、前記裏皮を内側にし、前記毛を表側にすると共に前記放射手段及び前記加温手段を袋内に挿脱可能な袋状とし、該袋には、前記放射手段及び前記加温手段を挿脱可能な開口を形成すると共に、該開口を封止・開成可能なチャックを設けてなるため、被施療者に接するのが毛皮類原反の毛であるため、フワフワとした肌触り感を与え、ペットを抱いているように癒されることになる。【００１４】  請求項５に記載の発明によれば、前記毛皮類原反は、ムートンよりなるため、ムートンの裏皮と毛は柔らかでちぎれにくく、伸びたり縮んだりせず、感触性にも耐熱性にも優れ、着色すればカラフルになる。また、ムートンは耐熱性に富み、裏皮も強く毛も太くて軟らかく、そして熱を包み込み、耐久性及び肌触りに優れている。ムートンは、熱そのものには強く熱吸収力にも勝り、そしでエネルギーの放散にも無駄が生じない。また、ムートンは厚い裏皮であるが、放射手段による遠赤外線波長によりその裏皮を貫通するエネルギーを放射できる。
【発明を実施するための最良の形態】
【００１５】  短時間で効率よく被施療者を暖め、身体に優しい熱質とし、電気代が可及的に安価ですむ温熱療養装置を提供する、という目的を、裏皮及び該裏皮の一方側の面に生えてなる長状の毛により少なくとも構成されてなる毛皮類原反の裏皮の他方側の面に遠赤外線エネルギーを放射可能なる放射手段が配設されてなり、該放射手段を暖めることで被施療者を暖めることが可能な加温手段とより構成してなることにより、実現した。以下、本発明の最良の実施形態を図面の基づいて説明する。
【実施例１】
【００１６】  図１乃至図７は、本願発明の第１実施例を示している。図１は、本願発明の温熱療養装置１を使用している一態様を示す斜視図である。図２は、図１の温熱療養装置１のみを示す斜視図である。図３は、図１のＳＡ−ＳＡ線に沿った断面を示している。【００１７】  前記温熱療養装置１は、図１に示すように、敷き布団２１と掛け布団２２との間に入れ易いように形成されて成り、敷き布団２１と掛け布団２２との間から室内に這い回した電源コード１６にコントローラ２４及び電源スイッチ２５を介してテーブルタップ２６或いは図示しないＡＣコンセントに接続可能とされている。符号２３は敷き布団２１に横臥する被施療者７の頭を支える枕である。【００１８】  前記温熱療養装置１は、中空袋５と、該中空袋５内に収納された放射手段６と、該放射手段６を暖めることで被施療者７を暖めることが可能な加温手段８とより構成してなる。【００１９】  前記中空袋５は、裏皮３、３’及び該裏皮３、３’の一方側の面３ａ、３’ａに生えてなる長状の毛４、４により成るムートン（羊皮）の毛皮類原反２、２’の前記裏皮３、３’の他方側の面３ｂ、３’ｂを内側にし、前記毛４、４が外側に生えた一方側の面３ａ、３’ａを表側にすると共に前記放射手段６及び前記加温手段８を挿脱可能な開口５ａを有する袋状とし、該中空袋５の開口５ａには、該開口５ａを封止・開成可能なチャック１２を設けてなる。【００２０】  前記放射手段６は、中空袋５内に挿脱可能な大きさに形成され且つ遠赤外線エネルギーを放射可能なる天然貴蛇紋石よりなる。【００２１】  前記放射手段６は、二部品よりなる。すなわち、前記加温手段８を敷き設可能な略平板状の本体９と、前記加温手段８を本体９に挟み込んで本体９から抜けるのを防止可能なる蓋体１０とより構成されてなる。【００２２】  前記放射手段６に用いる本体９及び蓋体１０である機能性部材の天然貴蛇紋石は、遠赤外線（育成光線）を限りなく多量に放つ鉱石で、山岳火山を母として誕生したもので、暗緑色に淡緑色の脈が複雑に入った蛇紋岩（蛇灰岩ともいう）である。水や生体に好ましい育成光線を充分に吸収して、その育成光線である電磁波の遠赤外線を繰り返し放射している。自然の動的エネルギーの風・水・重力・圧力・摩擦・温度変化等の移動に一層の電位が得られやすい呼吸や活動を繰り返し、永久的に続ける効能は良好的で身体に良いものである。【００２３】  かかる前記放射手段６の天然貴蛇紋石の元素記号と含有成分の割合は、図１２に示すように、▲１▼酸化ナトリウムＮａ２Ｏ＝０．０５％▲２▼酸化マグネシウムＭｇＯ＝３６．８％▲３▼酸化アルミニュウムＡｌ２Ｏ３＝１．３％▲４▼二酸化珪素ＳｉＯ２＝３５．６％▲５▼酸化カルシウムＣａＯ＝３．９％▲６▼二酸化チタンＴｉＯ２＝０．０８％▲７▼酸化マンガンＭｎＯ＝０．１２％▲８▼酸化鉄Ｆｅ２Ｏ３＝５．９％である。採取した場所では、天然貴蛇紋石を用いて関節痛などを治すと言う伝説がある。【００２４】  図１１に示す遠赤外線放射比較データによれば、前記放射手段６が放射する波長が４ミクロンから２０ミクロンで、天然貴蛇紋石の遠赤外線放射率が高いことが確認できる。尚、かかる遠赤外線放射比較データは、縦軸が遠赤外線放射量ｍｖ／ｃｍ２であり、一番下が０，一番上が１８ｍｖ／ｃｍ２である。横軸が表面温度℃であり、一番左が２４．４℃、一番右が３６．１℃である。その他、保温性、抗菌性、消臭性に優れている。【００２５】  例えば、出願人において、「保温性」について確認した。天然貴蛇紋石をパウダー状にして繊維に練り込んだ生地による肌着と、レギュラー繊維を使用した生地による肌着とをそれぞれ３０分間着用し、脱衣後から体表温度の変化を測定したところ、前者の肌着は、脱衣直後よりも２０分後の方が表面温度が高くなるというデータを確認している。【００２６】  また、出願人において、「抗菌性及び消臭性」について確認した。天然貴蛇紋石のチップを冷蔵庫に入れた所、肉や魚や野菜の新鮮さを維持する時間が長くなったことから、「抗菌性」にも効果があることを確認した。また、天然貴蛇紋石のチップを冷蔵庫内に入れたままにすることで、腐敗臭などの嫌な臭いが気にならならないレベルまで下がることから、「消臭性」に優れていることを確認している。【００２７】  前記放射手段６の本体９は、厚さ１５ミリメートル、直径１８０ミリメートルの円盤状に形成され且つ周囲には上面９ａからの高さが１９ミリメートルで、直径方向の幅が２０ミリメートルの土手状の堤１３が無端的に形成されている。従って、該堤１３の内側、すなわち凹部１４の直径は、１４２ミリメートルである。図５に示すように、堤１３の外側の面１３ａの断面が、半径１７ミリメートルの丸く滑らかな形状をしている。凹部１４の中央部には、深さ１０ミリメートル、直径５ミリメートルの雌ねじ１５が形成されている。【００２８】  前記堤１３の外側の面１３ａと凹部１４とには、図６に示すように、前記加温手段８に接続した電源コード１６の挿入可能なる直径１０ミリメートルの貫通穴１７が形成されてなる。前記上面９ａの前記貫通穴１７に連続する部位には、前記サーモスタット１１の陥入可能な格納部１８が形成されてなる。該格納部１８は、直径方向の長さが３６ミリメートルで、幅２１ミリメートルであり、凹部１４の面から直径方向に１０ミリメートルの位置に形成されている。【００２９】  前記放射手段６の蓋体１０は、図７に示すように、厚さ１５ミリメートル、直径１３９ミリメートルの円盤状に形成され、中央部に上面１０ａから下面１０ｂまで貫通する直径６ミリメートルで上面１０ａ側からＴ型ボルト２０を挿入可能とした下穴１９が形成されてなる。【００３０】  前記加温手段８には、所定の温度を検知することで電源をオン、オフ切り替え可能なサーモスタット１１が配されてなる。【００３１】  前記加温手段８は、厚さ４ミリメートルの面状発熱体である。前記加温手段８の直径は、凹部１４に入り得る大きさで、例えば、蓋体１０と同じ１３９ミリメートルである。該加温手段８には、前記サーモスタット１１を介して電源コード１６が接続されてなる。【００３２】  前記加温手段８の能力は、１００ｖ  ７０ｗである。前記サーモスタット１１は、最高温度を９０℃に、最低温度を３５℃に設定してあり、この温度差内での上下活動を繰り返すようにしてある。最高温度の９０℃は過熱気味であるが、直接肌に当てる訳ではなく、該加温手段８により暖められる放射手段６は、毛皮類原反２、２’であるムートンにより、その過熱を補うことができる。【００３３】  従って、かかる構成部材を組み立てるに際しては、前記本体９の貫通穴１７に電源コード１６を挿通させ、該電源コード１６の一端部に接続したサーモスタット１１を格納部１８に格納させ、該サーモスタット１１に接続した加温手段８を凹部１４内に格納させた後に、蓋体１０を凹部１４内に格納し、蓋体１０の中央に設けてある下穴１９にＴ型ボルト２０を差込み、本体９に設けられている雌ねじ１５にＴ型ボルト２０をねじ込むことで、蓋体１０を本体９に固定することになる。前記電源コード１６の他端部には、前記したように、コントローラ２４及び電源スイッチ２５を介してテーブルタップ２６或いは図示しないＡＣコンセントに接続可能とされている。【００３４】  毛皮類原反２、２’として、この実施例ではムートンを用いているが、ムートンは外気を阻むものであり、温もりは柔らかいという特有の性能を有する。高熱にも強く、耐久性にも優れている。遠赤外線温熱を放射可能なる放射手段６そのものが９０℃であっても、ムートンによる毛皮類原反２、２’の表面温度は４２℃〜４５℃を示し、程よい療養に治療に相応しい熱質温度を持って持続していくことになる。【００３５】  前記放射手段６に用いる天然貴蛇紋石は、鉱石群の中でも保温力は高いので、消費電力も最小限で収まる。加えて熱伝導性にも優れ、放つ遠赤外線エネルギーは近赤外線の刺々しい熱質とは異なり、まろやかなエネルギーを放射可能である。前記放射手段６の本体９の板厚を３４ミリメートルとしたのは、温熱の効率を活かす鉱石の保温力と省エネを得るためである。【００３６】  前記放射手段６の本体９及び蓋体１０は、前記したように、天然貴蛇紋石であり、この天然貴蛇紋石からの温熱エネルギーは、被施療者７の表皮ばかりでなく、体内深く浸透し、貫通機能も見られるもので、本発明の前記温熱療養装置１に施療した後の体温の低下現象を見ると、前記温熱療養装置１から離れて、４０分を経過してもほとんど低下しないことを確認している。【００３７】  次に、電源投入操作順序について説明する。【００３８】  前記温熱療養装置１の電源スイッチ２５をオン側にすると、加温手段８に通電し、室温状態にあった放射手段６の本体９及び蓋体１０が加温されて、放射手段６の本体９及び蓋体１０自体の温度が上昇を始める。コントローラ２４或いはサーモスタット１１により、あらかじめ設定された温度である９０℃に達すると、運転が停止できるので、施療中に被施療者７が寝込んでしまっても、それ以上上昇せず、何ら問題が生じないことになる。【００３９】  また、放射手段６の本体９及び蓋体１０の温度が、９０℃に達した段階で、コントローラ２４或いはサーモスタット１１により、運転が停止するが、以後前記放射手段６自体が有する保温力で最低４時間は、施療できる温度を持続できる。この間の消費電力は、当然０ＫＷであり、省エネで環境にも優しいことになる。【００４０】  放射手段６を暖める所要時間は、出願人において確認したところ、通常の室温にある放射手段６を加温して、最高温度を９０℃に達するまでの電力消費タイムは、１５分であった。そして、最高温度から３５℃に下が��までの電力消費タイムは、前記放射手段６からの遠赤外線エネルギーの放射率が高いので、４時間という長時間の温度保持ができた。従って、ワンサイクル２５５分であるから、１時間３０分電力を消費しても、２４時間は電力消費の必要に至らない。１日に換算すると大凡２３時間電力消費の必要に至らないことになる。【００４１】  このようにして、この第１実施例によれば、裏皮３、３’及び該裏皮３、３’の一方側の面３ａ、３’ａに生えてなる長状の毛４により少なくとも構成されてなる毛皮類原反２、２の裏皮３、３’の他方側の面３ｂ、３’ｂに遠赤外線エネルギーを放射可能なる放射手段６が配設されてなり、該放射手段６を暖めることで、裏皮３、３’を暖かさが透過して被施療者７を暖めることが可能な加温手段８とより構成してなるため、短時間で効率よく被施療者７は放射手段６が放射する遠赤外線エネルギーを受け、該遠赤外線エネルギーが被施療者７の身体の奥まで達し、身体の活性化を図ることができる。【００４２】  また、加温手段８により放射手段６が暖められるので、身体に優しい熱質により、気持ちの良い加温性を得られることができる。被施療者７の側に毛皮類原反２、２’の毛４の方を向けることで、毛４の柔らかさによる柔軟性を心地よさとして被施療者７に与えることが出来る。放射手段６が保温性に優れているので、電気代が可及的に安価ですむことになる。【００４３】  また、前記放射手段６には、前記加温手段８を敷き設可能な略平板状の本体９と、前記加温手段８を本体９から抜けるのを防止可能なる略平板状の蓋体１０とより構成されてなるため、本体９と蓋体１０との上下寸法が少なく、敷き布団２１と掛け布団２２との間に入れ易いし、図示しない周知の炬燵の中にも入れ易いことになる。また、被施療者７をその上に乗せ易いことになる。また、前記加温手段８には、所定の温度を検知することで電源をオン、オフ切り替え可能なサーモスタット１１が配されてなるため、電源スイッチ２５をオンにすれば、そのままで、電源のオン、オフを所定の温度の変化で繰り返すことが出来る。オフ時間は、電気代が嵩まず、著しく安価に出来る。【００４４】  前記放射手段６が、天然貴蛇紋石よりなるため、天然貴蛇紋石の持つ性能により被施療者７が効率よく施療可能であるばかりでなく、一度暖めると長時間の温度保持が可能となり、加温手段８をたびたび稼働させる必要が無い分、消費電力を少なくできる。また、新陳代謝を促し、細胞の活性化に促し、心身負担の軽減に役立つ省エネルギー効果を有する。天然貴蛇紋石の保温力と、活性成分からなるエネルギーは、被施療者７の身体の奥まで浸透する。サーモ等の測定器の検査結果を見る限り、活力エネルギーは身体に浸透貫通し、温熱療養装置１から離れて距離をおいて（つまり、温熱療養装置１の熱の影響のないところで）１時間経っても、血液はさらさらと流れている様子が伺える。【００４５】  前記毛皮類原反２、２’は、前記裏皮３、３’を内側にし、前記毛４を表側にすると共に前記放射手段６及び前記加温手段８を中空袋５内に挿脱可能な袋状とし、該中空袋５には、前記放射手段６及び前記加温手段８を挿脱可能な開口５ａを形成すると共に、該開口５ａを封止・開成可能なチャック１���を設けてなるため、被施療者７に接するのが毛皮類原反２、２’の毛４のフワフワとした肌触り感を与え、あたかもペットを抱いているような感じを被施療者７に与え、癒されることになる。【００４６】  前記毛皮類原反２、２’は、ムートンよりなるため、ムートンの裏皮３、３’と毛４は柔らかでちぎれにくく、伸びたり縮んだりせず、感触性にも耐熱性にも優れ、毛４を着色すればカラフルになる。また、ムートンは耐熱性に富み、裏皮３、３’も強く毛４も太くて軟らかく、そして熱を包み込み、耐久性及び肌触りに優れている。ムートンは、熱そのものには強く熱吸収力にも勝り、そしでエネルギーの放散にも無駄が生じない。また、ムートンは厚い裏皮３、３’であるが、放射手段６による遠赤外線波長によりその裏皮３、３’を貫通するエネルギーを放射できる。【００４７】  前記放射手段６が放つ遠赤外線エネルギーの特徴は、被施療者７の身体に相応しい４〜１６μｍの波長帯で、療養に相応しいエネルギーである。この放射手段６が放つ、優れたエネルギー質は、被施療者７の身体への浸透力が強く、免疫力を高め、病と対抗させる手段を満足させることができるものである。免疫療法に有効の４２℃前後の温熱で患部を暖め、細胞免疫治療に、成人病の予防と療養に、リハビリにと、多くの効用を有する。【００４８】  また、放射手段６は、温熱効果で見られる主な効能効果について、血行促進・ダイエット・生活習慣病や心筋梗塞や坐骨神経痛や腰・肘・膝等の関節の痛みの改善・血圧の正常化・自然細胞の老化防止・細胞の活性化・体質改善・美容効果を有する。この他にも、前立腺肥大やリウマチ神経痛等にも効果が期待できる。前記効能の条件は、まず優れた鉱石成分を核に、常温と加温をもって鉱石の機能を引き出し、鉱石の有する特徴でエネルギーの無駄ない利用により、その結果を最大限に発揮できるものである。
【実施例２】
【００４９】  図８は、本願発明の第２実施例を示す図である。この第２実施例の温熱療養装置３１は、天然貴蛇紋石よりなることで遠赤外線エネルギーを放射可能なる前記放射手段６と同じ性質の放射手段３２と、加温手段３７とよりなる。【００５０】  前記放射手段３２は、前記加温手段３７であるヒーターを挿入可能な略円柱状の本体３３と、前記加温手段３７を本体３３から抜けるのを防止可能なる蓋体３４とより構成されてなる。前記加温手段３７は、該放射手段３２を暖めることで被施療者７を暖めることが可能であると共に前記加温手段３７には、所定の温度を検知することで電源をオン、オフ切り替え可能なサーモスタット３５が配されてなる。【００５１】  前記本体３３は、長手寸法が２０２ミリメートル、直径が６３ミリメートルの円柱状をなし、上端部３３ａから１５ミリメートルの位置に直径が５９ミリメートルとなる段部３６が凸状に形成されてなる。前記上端部３３ａの直径中心位置には、深さ１９０ミリメートル、直径１１ミリメートルの前記加温手段３７の挿入穴３８が形成されてなり、該挿入穴３８に隣接した前記上端部３３ａには、深さ５ミリメートル、直径１６ミリメートルの前記サーモスタット３５の挿入穴３９が形成されてなる。段部３６の側部には、ビス４０を螺合可能な雌ねじが形成されている。【００５２】  前記放射手段３２の蓋体３４は、上面３４ａから下面３４ｂ及び側面３４ｃ自体それぞれの厚さが１．５ミリメートル、側面３４ｃの直径が６３ミリメートルのキャップ状に形成されている。上面３４ａの中央部には、直径１２ミリメートルの前記加温手段３７の貫通可能な貫通穴４２が形成されている。側面３４ｃには、外側には前記ビス４０の挿通可能な貫通穴４１が形成されてなる。【００５３】  前記加温手段３７は、１００ボルト（Ｖ）、１００ワット（Ｗ）で、直径１０ミリメートル、長さ１８２ミリメートルのカートリッジヒーターである。前記サーモスタット３５は、前記サーモスタット１１同様、最高温度を９０℃に、最低温度を３５℃に設定してあり、この温度差内での上下活動を繰り返すようにしてある。【００５４】  かかる第２実施例によれば、機能性部材の天然貴蛇紋石よりなる放射手段３２を円柱状にしたことで、第１実施例の放射手段６の機能と用途も同様で、熱源に用いるヒーターをマイカーヒーターからカートリッジヒーターの変更のみで同等の効果が得られる。しかも、カートリッジヒーターはマイカーヒーターに比較して長くできるので、保温性は前記第１実施例の放射手段６よりも３割以上アップする。前記素材の構成から、蓄熱及び保熱にエネルギーは蓄えられ、蓄えたエネルギーで全てを賄い、長時間に亘って患部に放射されて血行促進から療養治療にあてることができる。
【実施例３】
【００５５】  図９及び図１０は、本願発明の第３実施例を示す図である。この第３実施例の温熱療養装置５１は、前記中空袋５と同様な中空袋５４と、該中空袋５４内に収納された天然貴蛇紋石よりなることで遠赤外線エネルギーを放射可能なる前記放射手段６と同じ性質の放射手段５２と、該放射手段５２を暖めることで被施療者７を暖めることが可能な加温手段５３とより構成してなる。【００５６】  前記中空袋５４は、裏皮３、３’及び該裏皮３、３’の一方側の面３ａ、３’ａに生えてなる長状の毛４により成るムートン（羊皮）の毛皮類原反２、２’の前記裏皮３の他方側の面３ｂ、３’ｂを内側にし、前記毛４の生えた一方側の面３ａ、３’ａを表側にすると共に前記放射手段５２及び前記加温手段５３を挿脱可能な開口５４ａを有する袋状とし、該中空袋５４の開口５４ａには、該開口５４ａを封止・開成可能な前記チャック１２と同様のチャック（図示省略）を設けてなる。【００５７】  前記放射手段５２は、中空袋５４内に挿脱可能な大きさで、二部品よりなる。すなわち、前記加温手段５３を上下方向から挟み込むように形成されて成る。【００５８】  前記加温手段５３は、前記放射手段５２の内側の面に蛇腹状に配設した発熱コードヒーターである。該放射手段５２を暖めることで、前記放射手段５２が暖まり、被施療者７を暖めることが可能であると共に前記加温手段５３には、所定の温度を検知することで電源をオン、オフ切り替え可能な図示しないサーモスタットが配されてなる。【００５９】  前記加温手段５３は、１００ボルト（Ｖ）、１００ワット（Ｗ）の発熱コードヒーターである。前記サーモスタットは、前記サーモスタット１１同様、最高温度を９０℃に、最低温度を３５℃に設定してあり、この温度差内での上下活動を繰り返すようにしてある。【００６０】  かかる第３実施例によれば、裏皮３、３’及び該裏皮３、３’の一方側の面３ａ、３’ａに生えてなる長状の毛４により少なくとも構成されてなる毛皮類原反２の裏皮３の他方側の面３ｂ、３’ｂに遠赤外線エネルギーを放射可能なる放射手段５２が配設されてなり、該放射手段５２を暖めることで被施療者７を暖めることが可能な加温手段５３とより構成してなるため、短時間で効率よく被施療者７は放射手段５２が放射する遠赤外線エネルギーを受け、該遠赤外線エネルギーが被施療者７の身体の奥まで達し、身体の活性化を図ることができる。【００６１】  また、加温手段５３により放射手段５２が暖められるので、身体に優しい熱質により気持ちの良い加温性を得られることができる。被施療者７側に中空袋５４の毛皮類原反２、２’の毛４の方を向けることで、毛４の柔らかさによる柔軟性を心地よさとして被施療者７に与えることが出来る。放射手段５２が保温性に優れているので、電気代が可及的に安価ですむことになる。【００６２】  また、前記放射手段５２の内部には、前記加温手段５３を敷き設可能な略平板状であるため、放射手段５２の上下寸法が少なく、敷き布団２１と掛け布団２２との間に入れ易いし、図示しない周知の炬燵の中にも入れ易い。また、被施療者７をその上に乗せ易いことになる。また、前記加温手段５３には、所定の温度を検知することで電源をオン、オフ切り替え可能な��ーモスタットが配されてなるため、スイッチをオンにすれば、そのままで、電源のオン、オフを所定の温度の変化で繰り返すことが出来る。オフ時間は、電気代が嵩まず、著しく安価に出来る。【００６３】  前記放射手段５２が、天然貴蛇紋石よりなるため、天然貴蛇紋石の持つ性能により被施療者７が効率よく施療可能であるばかりでなく、一度暖めると長時間の温度保持が可能となり、加温手段５３をたびたび稼働させる必要が無い分、消費電力を少なくできる。また、新陳代謝を促し、細胞の活性化に促し、心身負担の軽減に役立つ省エネルギー効果を有する。天然貴蛇紋石の保温力と、活性成分からなるエネルギーは、被施療者７の身体の奥まで浸透する。サーモ等の測定器の検査結果を見る限り、活力エネルギーは身体に浸透貫通し、温熱療養装置５１から離れて距離をおいて（つまり、温熱療養装置５１の熱の影響のないところで）１時間経っても、血液はさらさらと流れている様子が伺える。【００６４】  前記中空袋５４の毛皮類原反２、２’は、前記裏皮３、３’を内側にし、前記毛４を表側にすることで、被施療者７に接するのが毛皮類原反２、２’の毛４であるため、フワフワとした肌触り感を与え、あたかもペットを抱いているように癒されることになる。【００６５】  前記毛皮類原反２、２’は、ムートンよりなるため、ムートンの裏皮３、３’と毛４は柔らかでちぎれにくく、伸びたり縮んだりせず、感触性にも耐熱性にも優れ、着色すればカラフルになる。また、ムートンは耐熱性に富み、裏皮３、３’も強く毛４も太くて軟らかく、そして熱を包み込み、耐久性及び肌触りに優れている。ムートンは、熱そのものには強く熱吸収力にも勝り、そしでエネルギーの放散にも無駄が生じない。また、ムートンは厚い裏皮３、３’であるが、放射手段５２による遠赤外線波長によりその裏皮３、３’を貫通するエネルギーを放射できる。【００６６】  前記放射手段５２が放つ遠赤外線エネルギーの特徴は、被施療者７の身体に相応しい４〜１６μｍの波長帯で、療養に相応しいエネルギーである。この放射手段５２が放つ、優れたエネルギー質は、被施療者７の身体への浸透力が強く、免疫力を高め、病と対抗させる手段を満足させることができるものである。免疫療法に有効の４２℃前後の温熱で患部を暖め、細胞免疫治療に、成人病の予防と療養に、リハビリにと、多くの効用を有する。【００６７】  また、放射手段５２は、温熱効果で見られる主な効能効果について、血行促進・ダイエット・生活習慣病や心筋梗塞や坐骨神経痛や腰・肘・膝等の関節の痛みの改善・血圧の正常化・自然細胞の老化防止・細胞の活性化・体質改善・美容効果を有する。この他にも、前立腺肥大やリウマチ神経痛等にも効果が期待できる。前記効能の条件は、まず優れた鉱石成分を核に、常温と加温をもって鉱石の機能を引き出し、鉱石の有する特徴でエネルギーの無駄ない利用により、その結果を最大限に発揮できるものである。
【産業上の利用可能性】
【００６８】  以上の実施例では、前記放射手段６，３２，５２は、前記実施例では、全て加温手段８，３７，５３をオンにして施療を行う、と説明したが、加温する場合に限定されるものではなく、夏場など雰囲気温度が高い場合に、かかる加温手段８，３７，５３をオフにして施療しても、前記放射手段６，３２，５２が有する放射エネルギーにより施療効果が生じる。【００６９】  前記毛皮類原反２、２’は、中空袋５、５４として実施例で説明したが、かかる場合に限定されるものではなく、敷き布団のように被施療者７が横臥する場合に、被施療者７側のみを毛４が向くようにしても良い。毛４について、図面ではほぼ直線状に描かれているが、ムートンの毛であるから、絡まっていたり、カーブしたり、自然の毛のよれ方を有するものであるが、図面の簡素化のため、ほぼ直線状に描いている。【００７０】  前記中空袋５、５４について、下側、すなわち敷き布団２１側にも毛４が生えている毛皮類原反２、２’として実施例で説明したが、かかる場合に限定されるものではなく、下側、すなわち敷き布団２１側には、布など毛４が存在しないものでもって袋状にしても良い。かかる場合、原価の低減を図れるし、被施療者７に触れる側は毛４が存在するので、癒され感を損なうものと成らない。
【図面の簡単な説明】
【００７１】
【図１】本発明の第１実施例に係る温熱療養装置を使用する一態様を示す斜視図。
【図２】図１の温熱療養装置を示す分解斜視図。
【図３】図１中矢示ＳＡ−ＳＡ線に沿う断面図。
【図４】図３の放射手段６の本体９の平面図。
【図５】図４の矢示ＳＢ−ＳＢ線に沿う断面図。
【図６】図４の矢示ＳＣ−ＳＣ線に沿う断面図。
【図７】図３の放射手段６の蓋体１０の断面図。
【図８】本発明の第２実施例に係る温熱療養装置の放射手段、加温手段を示す斜視図。
【図９】本発明の第３実施例に係る温熱療養装置の放射手段、加温手段を示す斜視図。
【図１０】図９中矢示ＳＤ−ＳＤ線に沿う断面図。
【図１１】本発明の第１乃至第３実施例に係る天然鉱石遠赤外線放射量比較データ。
【図１２】本発明の第１乃至第３実施例に係る岩盤浴等に使われる鉱石等の成分表。
【符号の説明】
【００７２】１、３１，５１  温熱療養装置
２、２’  毛皮類原反
３、３’  裏側
３ａ，３’ａ  一方側の面
３ｂ、３’ｂ  他方側の面
４  毛
５、５４  中空袋
６、３２，５２  放射手段
７  被施療者
８，３７，５３  加温手段
９，３２  本体
１０，３４  蓋体
１１，３５  サーモスタット
【図１】
2008114024.tif 000003
【図２】
2008114024.tif 000004
【図３】
2008114024.tif 000005
【図４】
2008114024.tif 000006
【図５】
2008114024.tif 000007
【図６】
2008114024.tif 000008
【図７】
2008114024.tif 000009
【図８】
2008114024.tif 000010
【図９】
2008114024.tif 000011
【図１０】
2008114024.tif 000012
【図１１】
2008114024.tif 000013
【図１２】
2008114024.tif 000014